(57)【特許請求の範囲】
【請求項１】
握り部と、この握り部に付設した髪ケア部を有し、上記髪ケア部を棒状に形成すると共にその外周面に発熱面を備え、上記発熱面に髪を接触させて整髪等の髪の手入れを行うように構成しているヘアーアイロンにおいて、上記髪ケア部の外周面にブリスルを突設させ、上記ブリスルの根元部分にスチーム発生装置で発生したスチームを噴射させる噴射部を設け、上記噴射部から噴射したスチームを当てて拡散させる鍔部をブリスルの根元に形成させたことを特徴とするヘアーアイロン。
【請求項２】
放電によってマイナスイオンを発生させるマイナスイオン発生装置を具備し、髪に対するマイナスイオンの放出を上記髪の手入れと無関係または並行して行うように構成したことを特徴とする請求項１に記載のヘアーアイロン。
【請求項３】
マイナスイオン発生装置を握り部に内装すると共に、上記マイナスイオン発生装置で発生したマイナスイオンが放出される放出口を髪ケア部に向けて開口したことを特徴とする請求項２に記載のヘアーアイロン。
【請求項４】
共に棒状に形成した髪ケア部と握り部とを同軸線状に配し、握り部の放出口の開口方向を上記軸線に対して１０°〜３０°傾けて設けたことを特徴とする請求項３に記載のヘアーアイロン。
【請求項５】
髪ケア部の外周面に突設したブリスルのうち、放出口近傍に位置するブリスルを除去または丈を短く形成したことを特徴とする請求項４に記載のヘアーアイロン。
【発明の詳細な説明】
【０００１】
【発明の属する技術分野】
本発明は、握り部に付設した髪ケア部を発熱させ、この髪ケア部に髪を接触させて整髪等の髪の手入れを行うようにしたヘアーアイロンに関する発明である。
【０００２】
【従来の技術】
従来から、ヘアーアイロンには、髪ケア部に髪を巻き付けて髪にカール付けを施すような髪の手入れを行い得るようにする装置もあるが、このような装置にあっては、髪ケア部への髪の巻き付け及びくせ付けをより効率よく行えるものが切望されている。
【０００３】
【発明が解決しようとする課題】
本発明は上記の点に鑑みてなされたものであり、髪の癖付けを行う髪ケア部に髪を巻き付けるタイプのヘアーアイロンであって、効率よく髪の整髪を行わせるヘアーアイロンを提供することを課題とする。
【０００４】
【課題を解決するための手段】
上記課題を解決するために本発明に係るヘアーアイロンは、握り部１と、この握り部１に付設した髪ケア部２を有し、上記髪ケア部２を棒状に形成すると共にその外周面に発熱面を備え、上記発熱面に髪を接触させて整髪等の髪の手入れを行うように構成しているヘアーアイロンにおいて、上記髪ケア部２の外周面にブリスル５を突設させ、上記ブリスル５の根元部分にスチーム発生装置６で発生したスチームを噴射させる噴射部を設け、上記噴射部から噴射したスチームを当てて拡散させる鍔部２１をブリスル５の根元に形成させたことを特徴とする。スチーム発生装置６で多量にスチームを発生させると、大量に発生して噴射されるスチームによって髪が過度に加熱されたり頭皮に火傷を負わせるといった恐れがあるが、スチームが噴射されるブリスル５の根元に上記噴射したスチームを当てて拡散させる鍔部２１を形成させたので、ブリスル５の根元部分から噴射されるスチームを拡散させて、上記恐れを無くすると共に、髪に多量のスチームを効果的に供給させることができる。
【０００５】
また、放電によってマイナスイオンを発生させるマイナスイオン発生装置４を具備し、髪に対するマイナスイオンの放出を上記髪の手入れと無関係または並行して行うように構成したことも好ましい。これによると、放電によってマイナスイオンを発生させるマイナスイオン発生装置４によっては、多量のマイナスイオンを発生させることができ、それに伴って多量のマイナスイオンを髪に付着させ、髪の損傷を抑えると共に良質な整髪を施し得るようにできるものであり、更に、髪に対するマイナスイオンの放出を上記髪の手入れと無関係または並行して行うようにしたので、上記マイナスイオンの効果を選択的に髪に享受させ得るようにできる。
【０００６】
また、マイナスイオン発生装置４を握り部１に内装すると共に、上記マイナスイオン発生装置で発生したマイナスイオンが放出される放出口９を髪ケア部２に向けて開口したことも好ましい。これによると、マイナスイオン発生装置４を握り部１に内装することで、髪ケア部２にマイナスイオン発生装置４を内装しないで済むものであって、つまり髪ケア部２の内部構造を簡略化できるものであり、また、握り部１にマイナスイオン発生装置４を内装しても、上記マイナスイオン発生装置４で発生したマイナスイオンが放出される放出口９を髪ケア部２に向けて開口したので、髪にマイナスイオンを付着させることができる。
【０００７】
また、共に棒状に形成した髪ケア部２と握り部１とを同軸線状に配し、握り部１の放出口９の開口方向を上記軸線に対して１０°〜３０°傾けて設けたことも好ましい。これによると、髪ケア部２が保持した髪全体に効果的にマイナスイオンを付着させることができる。
【０００８】
また、髪ケア部２の外周面に突設したブリスル５のうち、放出口９近傍に位置するブリスル５を除去または丈を短く形成したことも好ましい。髪ケア部２の外面に突設したブリスル５のうち放出口９近傍に位置するブリスル５にあっては、長くマイナスイオンを浴びるとマイナスの電荷に帯電し、以後上記ブリスル５間を通過して髪に至ろうとするマイナスイオンを反発させて跳ね飛ばしてしまって、髪に至るマイナスイオンの量を減少させ、髪にマイナスイオンが付着しにくくさせるといった恐れがあるが、この髪ケア部２の外面に突設したブリスル５のうち放出口９近傍に位置するブリスル５を除去または丈を短く形成したので、上記恐れを無くし、効果的に髪にマイナスイオンを付着させることができる。
【０００９】
【発明の実施の形態】
以下、本発明を添付図面に示す実施形態に基づいて説明する。
【００１０】
図１乃至図６に本発明の実施の形態の例を示す。本例のヘアーアイロンは、手で掴む握り部１と髪を保持して整髪等の髪の手入れを行わせる髪ケア部２とで構成された全体視で棒状に形成されたもので、握り部１の先端に髪ケア部２が配置されて、上記髪ケア部２に髪を巻き付けて使用できる巻き付け式のヘアーアイロンである。以下、詳述する。
【００１１】
上記握り部１は略円筒状のハウジングで形成されており、その内部には放電によってマイナスイオンを発生させるマイナスイオン発生装置４が内装されている。この放電によりマイナスイオンを発生させるマイナスイオン発生装置４としては、たとえば、図５に示す針電極３を備えたマイナスイオン発生装置４、図６に示す線電極２５を備えたマイナスイオン発生装置４等が用いられる。
【００１２】
図５に示す針電極３を備えたマイナスイオン発生装置４は、針電極３とグランド電極２６と高電圧発生装置２７とで構成されるものであって、この針電極３とグランド電極２６とは絶縁物よりなるケース２８内に配置されている。このケース２８には開口２８ａが設けられており、針電極３の前方にグランド電極２６が配置され、更にグランド電極２６の前方に上記開口２８ａが開口している。ここで、針電極３は例えば金属棒の先端を鋭利にして針形状としたものであり、グランド電極２６は一例として金属板で構成し、針電極３に対して斜め前方に配置してある。この針電極３を備えたマイナスイオン発生装置４は鋭利に形成された針電極３の先端に電界を集中させ易く、効率よくマイナスイオンを発生させ得るといった利点を有している。
【００１３】
また、図６に示す線電極２５を備えたマイナスイオン発生装置４は、線電極２５とグランド電極２６と高電圧発生装置２７とで構成されるものであって、この線電極２５とグランド電極２６とは絶縁物よりなるケース２８内に配置されている。線電極２５はケース２８の内部スペースに亘るように設けてあり、針電極３の前方にグランド電極２６が配置され、更にグランド電極２６の前方にケース２８の開口２８ａが開口している。ここで、線電極２５は例えば径の細い導電線を棒状に形成したものが用いられる。この線電極２５を備えたマイナスイオン発生装置４は、針電極３を備えたマイナスイオン発生装置４に比べて広範囲でマイナスイオンを発生させ得るといった利点を有している。
【００１４】
これらのマイナスイオン発生装置４では、グランド電極２６を基準電位側として針電極３側または線電極２５側にＤＣ−５ｋＶを印加させると、針電極３または線電極２５の先端近傍においてコロナ放電が発生し、マイナスイオンが発生する。そして、この発生したマイナスイオンは、ケース２８の開口２８ａから外方に流れ出る電気力線に乗ってケース２８の開口２８ａから外方に放出されるようになっている。このケース２８の開口２８ａは放出口９を構成している。
【００１５】
本例では、マイナスイオン発生装置４として、図５の針電極３を備えたマイナスイオン発生装置４を採用しており、握り部１に内装されたマイナスイオン発生装置４における放出口９を髪ケア部２に向けるように握り部１の先端部分に設けている。
【００１６】
上記髪ケア部２は、上記握り部１の先端部で握り部１と同軸線Ａ上に取り付けられた棒状部位であって、主体を構成する円筒状の基台１０にヒータ１１を配設し、上記基台１０及びヒータ１１の外周を覆う円筒状の巻胴１２を配置し、上記巻胴１２の外周面から複数本のブリスル５を突設し、上記基台１０の先端にスチーム発生装置６を配置して構成される。
【００１７】
詳述すると、ヒータ１１は、通電により発熱するＰＴＣヒータからなる発熱部１１ａと、上記発熱部１１ａの周囲を覆う熱伝導性のよい金属から形成されたヒータカバー１１ｂとで構成されている。また、巻胴１２は、アルミニウム等の熱伝導性のよい金属から形成された円筒部材であって、髪ケア部２の外周面を構成するものであり、その外周面には先端―基端方向に亘るブリスル部材配置溝１３が周方向に複数筋並んで形成されている。このブリスル部材配置溝１３にはブリスル部材１４が配置される。ブリスル部材１４とは、多数本のブリスル５を列状に並べると共に上記列設した各ブリスル５をその根元で長板状に形成したブリスル基部１４ａによって連結させて構成されたものであり、このブリスル部材１４をブリスル部材配置溝１３にスライド挿入させて配置することで、巻胴１２の外周面にブリスル５を突設させている。なお、上記ブリスル部材１４のブリスル基部１４ａが配置されるブリスル部材配置溝１３は、巻胴１２の外面にある開口の幅がブリスル部材１４のブリスル基部１４ａの幅に比べて小さい寸法になるように形成されていて、ブリスル部材１４の外方への抜け落ちが防止されている。なお、この巻胴１２は、その内周面がヒータ１１のヒータカバー１１ｂの外周面に当接されていて、このヒータカバー１１ｂから伝導されたヒータ１１の熱によって発熱、放熱するようになっている。
【００１８】
また、スチーム発生装置６は、水タンク１５内に貯留した水を水タンク１５の給水部１５ａから排出し、上記排出した水をヒータ１１のヒータカバー１１ｂに接触させて蒸発させることでスチームを発生させる装置である。本例のスチーム発生装置６は、基台１０の先端に先端―基端方向に移動自在に水タンク１５を配置し、ヒータカバー１１ｂの先端部分と水タンク１５の基端部との間に水タンク１５を先端方向に付勢するバネ１７を介装し、水タンク１５の基端部に水タンク１５内に貯留した水を吸収するフェルトからなる給水部１５ａを設けると共にヒータカバー１１ｂの先端部分に先端方向に突出したフェルト押圧突起１６を設けて構成されており、使用者が手で水タンク１５をバネ１７の付勢に抗って基端方向に押圧することで、給水部１５ａであるフェルトがフェルト押圧突起１６に押し付けられてフェルトに吸収された水が絞り出され、ヒータカバー１１ｂに上記水が接触、蒸発されるようになっている。ここで、巻胴１２の内周面には、先端―基端方向に亘り微少に外方に凹設させたスチーム通路溝１８が形成されている。このスチーム通路溝１８は、巻胴１２の内周面とヒータカバー１１ｂとの間の通路として機能し、ブリスル部材配置溝１３と連通すると共に基台１０に設けたスチーム発生装置６と連通している。つまり、スチーム通路溝１８はスチーム発生装置６で発生したスチームをブリスル部材配置溝１３に至らせる通路として機能し、ブリスル部材配置溝１３に至ったスチームはブリスル部材１４とブリスル部材配置溝１３との隙間１９やブリスル部材１４のブリスル基部１４ａに貫通した噴出孔（図視せず）等からなる噴射部から巻胴１２の外方に向って噴射されるようになっている。
【００１９】
上述した構成を有する本例のヘアーアイロンは、髪ケア部２のブリスル５によって保持した髪を、巻胴１２の外方に噴射されたスチームによって湿らせると共に発熱した巻胴１２によって加熱し、任意の形状に整髪させることができるようにし、更には、握り部１のマイナスイオン発生装置４で生じたマイナスイオンを放出口９から放出させたことで、上記ブリスル５によって保持した髪に上記マイナスイオンを付着させ、髪の損傷を抑えると共に良質な整髪を施し得るようにしたものである。
【００２０】
ここで、本例のマイナスイオン発生装置４は、放電によってマイナスイオンを発生させる構造のマイナスイオン発生装置４であるので、このマイナスイオン発生装置４では多量のマイナスイオンを発生させることができ、それに伴って多量のマイナスイオンを髪に付着させ、髪の損傷の防止と共に良質な整髪の向上が図られているのである。なお、このマイナスイオン発生装置４を握り部１に設けたことにも意味があり、これによると、マイナスイオン発生装置４を握り部１に内装させた分、髪ケア部２の構造をコンパクトにでき、髪ケア部２の形状の多様化及び小型化を図ることができるのである。
【００２１】
なお、本例の髪ケア部２の巻胴１２は、曲率半径の大きい緩曲面部７と曲率半径の小さい急曲面部８とから構成された楕円状断面を有し、例えば押し出し成形で形成されている。また、本例のブリスル５は、丈の長い長ブリスル５ａと丈の短い短ブリスル５ｂとの２種類のブリスル５ａ，５ｂで構成されている。そして、この長ブリスル５ａは巻胴１２の緩曲面部７から突設され、短ブリスル５ｂは巻胴１２の急曲面部８から突設されている。このように、緩曲面部７に丈の長い長ブリスル５ａを設けたことで、髪をストレート状に伸ばすようなブラッシングや髪にストレート状の癖付けを施すことが容易に行えるようになっており、また、急曲面部８に丈の短い短ブリスル５ｂを設けたことで、髪の流れを整えさせて髪ケア部２に巻き付けることや髪にカール状の癖付けを施すことを容易に行えるようになっている。このように、本例のヘアーアイロンは、長ブリスル５ａを巻胴１２の緩曲面部７から突設させると共に短ブリスル５ｂを巻胴１２の急曲面部８から突設させたことにより、髪をストレートに癖付けをするストレートアイロン及び髪をカール状に癖付けするカールアイロンの２つの機能を同時に１つのヘアーアイロンに備えさせることを可能にしたものなのである。なお、本例の短ブリスル５ｂにあっては、極端に丈が短い短ブリスル５ｂ１と比較的丈が短い短ブリスル５ｂ２とを交互に並べて構成させており、短ブリスル５ｂが有する髪の巻き付け効果を向上させるよう工夫が為されている。
【００２２】
なお、上記緩曲面部７は巻胴１２の３６０°の外周面における９０°〜１２０°の範囲（図中∠α）に設けてある。これにより、本例のヘアーアイロンにあっては、棒状の髪ケア部２の形状を、髪を巻き付けることに妨げにならない程度の変形にとどめると共に、この髪ケア部２の広い範囲に髪にブラッシングを施す場所を確保させることができ、効果的に髪にブラッシングを施すことができるようにしてあり、ヘアーアイロンの使い勝手の向上が図られているのである。
【００２３】
更に、上記スチーム通路溝１８は上記巻胴１２の緩曲面部７の内周面に設けられ、このスチーム通路溝１８で長ブリスル５ａが配置されるブリスル部材配置溝１３とスチーム発生装置６とを連通させている。つまり、本例のヘアーアイロンは巻胴１２の緩曲面部７から外方にスチームを噴出させたものであり、これにより、髪をブラッシングしているときにスチームを当てさせて効果的に髪を伸ばすことができるようにされており、ヘアーアイロンの使い勝手の向上が図られているのである。
【００２４】
ここで、上述したようにスチーム発生装置６で発生したスチームは、ブリスル部材配置溝１３とブリスル部材１４との隙間１９から巻胴１２の外方に噴出されるものであるが、本例のヘアーアイロンでは、ブリスル部材１４のブリスル基部１４ａにおけるブリスル５が突出する部分を他の部分よりも幅狭に形成することで、ブリスル５の根元部分においてブリスル部材配置溝１３とブリスル基部１４ａとの隙間１９を積極的に形成させ、上記隙間１９によってスチームを噴射させる噴射部を構成してブリスル５の根元部分からスチームを噴射させるようにし、更には、上記スチームが噴射されるブリスル５の根元に上記噴射したスチームを当てて拡散させる鍔部２１を形成させている。この鍔部２１はブリスル５の突出方向に対して略直交する方向においてブリスル５の外周に亘って突設させた片状のものであり、この鍔部２１によって、スチーム発生装置６で多量のスチームを発生させることができ、巻胴１２による加熱によって乾燥しがちな髪を効果的に湿らせ、髪の損傷の防止効果や整髪の持続効果の向上を図ることができるのである。つまり、たとえば図７に示す鍔部２１を設けないヘアーアイロンでは、スチーム発生装置６で多量にスチームを発生させたときには、多量に発生して噴射されるスチーム（矢印Ｂ）によって髪が過度に加熱されたり頭皮にスチームが当って火傷を負わせてしまうといった安全面での恐れがあって、少量のスチームしか発生させられないものであり、このようにスチーム発生装置６で少量のスチームしか発生させないと、髪に充分な水分を与えることができずに巻胴１２による加熱によって髪が乾燥して髪が損傷したり整髪の持続効果が減少したりする恐れが生じてしまう。しかしながら、本例のヘアーアイロンでは、図１に示すように、ブリスル５の根元に上記噴射したスチームを当てて拡散させる鍔部２１を形成させたので、スチーム発生装置６で多量のスチームを発生させても、ブリスル５の根元部分から噴射される多量のスチームを上記鍔部２１によって拡散させることができるものであり、したがって、髪が過度に加熱されたり頭皮にスチームが当って火傷を負わせてしまう恐れを無くしながら、多量のスチームによって巻胴１２による加熱によって乾燥しがちな髪を効果的に湿らせることができ、髪の損傷の防止効果や整髪の持続効果の向上を図ることができるのである。
【００２５】
また、本例のヘアーアイロンでは、握り部１に設けた放出口９が、巻胴１２の緩曲面部７の外周部分に向くように、且つ、髪ケア部２と握り部１との軸線Ａに対して１０°〜３０°傾いた方向に向くように（図中∠θ）開口しているので、マイナスイオン発生装置４で発生したマイナスイオンを髪ケア部２で保持した髪全体に効果的に付着させることが図られている。つまり、巻胴１２の緩曲面部７に突設した長ブリスル５ａによりブラッシングが施された髪は、ブリスル５と摺接することでプラスの電荷に帯電するものであり、このプラスの電荷に帯電した髪に向けて放出口９からマイナスイオンが放出され、上記マイナスイオンはプラスの電荷に帯電した髪に吸着されるようになっている。したがって、マイナスイオンを効果的に髪全体に付着することができるのである。更に言うと、この緩曲面部７では上述したようにスチームが髪に供給されるようになっているから、マイナスイオンによってスチームの髪へのよりよい浸透を図ることができ、髪の損傷の防止効果や整髪の持続効果、また整髪の行い易さを向上させているのである。
【００２６】
なお、本例のヘアーアイロンは、握り部１に設けたスライド式のスイッチハンドル２０でヒータ１１への通電やマイナスイオン発生装置４の針電極３への通電が制御されるものである。詳述すると、上記スイッチハンドル２０によって、ヒータ１１及びマイナスイオン発生装置４を非通電状態にするＯＦＦモード、マイナスイオン発生装置４に通電を行うイオンモード、ヒータ１１及びマイナスイオン発生装置４に通電を行うイオン・アイロンモードを切替できるようにしてある。これにより、髪に対するマイナスイオンの放出を、ヒータ１１の加熱によって整髪する髪の手入れとは無関係にまたは並行して行うようにでき、髪を加熱させないでマイナスイオンを付着させたい場合にも対応させ、上記マイナスイオンの効果を選択的に髪に享受させ得るようにし、ヘアーアイロンの使い勝手の多様化に対応させ得るようにしてある。なお、スイッチが切り替えるモードにヒータ１１にのみ通電を行うアイロンモードを加えたり、ヒータ１１への通電のオンオフ制御をするヒータスイッチとマイナスイオン発生装置４への通電のオンオフ制御をするイオンスイッチを併設させたりしてもよく、これによってもヘアーアイロンの使い勝手の多様化に対応させ得ることが図られて好ましい。
【００２７】
図８には本発明の実施の形態の他例を示す。この例は、髪ケア部２の外面に突設したブリスル５のうち放出口９近傍（図中Ｃ部分）に位置するブリスル５を除去した例である。髪ケア部２の外面に突設したブリスル５のうち放出口９近傍に位置するブリスル５にあっては、長くマイナスイオンを浴びるとマイナスの電荷に帯電して、以後上記ブリスル５間を通過しようとするマイナスイオンを反発させて跳ね飛ばし、髪に至るマイナスイオンの量を減少させ、髪にマイナスイオンを付着しにくくさせるといった恐れがあるが、本例は、この髪ケア部２の外面に突設したブリスル５のうち放出口９近傍に位置するブリスル５を除去したので、上記恐れを無くし、効果的に髪にマイナスイオンを付着させることができるのである。
【００２８】
なお、図示はしないが、髪ケア部２の外面に突設したブリスル５のうち放出口９近傍に位置するブリスル５を丈を短く形成したものも好ましい。これによっても上述した本発明の実施の形態の他例と同様の効果を得ることができるのである。
【００２９】
上述した本発明の実施の形態の例、他例では、髪ケア部２に髪を巻き付けてカール状の癖付けを施すように整髪できるヘアーアイロンを示して説明したが、放電によって多量のマイナスイオンを発生させ得るマイナスイオン発生装置４は握り部１に内装されて髪ケア部２の形状の自由度を向上させることから、例えば、髪ケア部２に髪を挟み込ませてストレート状の癖付けを施すように整髪できるヘアーアイロンや、その他髪を整髪したり髪をケアしたりする機器にも、本発明の技術を応用させることができるのは言うまでもない。
【００３０】
【発明の効果】
上記のように本発明の請求項１記載のヘアーアイロンにあっては、握り部と、この握り部に付設した髪ケア部を有し、上記髪ケア部を棒状に形成すると共にその外周面に発熱面を備え、上記発熱面に髪を接触させて整髪等の髪の手入れを行うように構成しているヘアーアイロンにおいて、上記髪ケア部の外周面にブリスルを突設させ、上記ブリスルの根元部分にスチーム発生装置で発生したスチームを噴射させる噴射部を設け、上記噴射部から噴射したスチームを当てて拡散させる鍔部をブリスルの根元に形成させたので、スチーム発生装置で多量にスチームを発生させても上記スチームを鍔部で拡散させることができ、大量に発生して噴射されるスチームによって髪が過度に加熱されたり頭皮に火傷を負わせるといった恐れを解消できると共に、ブリスルの根元部分から噴射されるスチームを拡散させたことで髪にスチームを効果的に供給させることができるのである。
【００３１】
また、請求項２記載のヘアーアイロンにあっては、請求項１の効果に加えて、放電によってマイナスイオンを発生させるマイナスイオン発生装置を具備したので、マイナスイオン発生装置によって多量のマイナスイオンを発生させることができ、それに伴い、髪の損傷を抑えると共に良質な整髪を施し得るといったマイナスイオンの効果を髪に充分に享受させることができ、更に、髪に対するマイナスイオンの放出を上記髪の手入れと無関係または並行して行うようにしたので、上記マイナスイオンの効果を選択的に髪に享受させ得るようにできるものである。
【００３２】
また、請求項３記載のヘアーアイロンにあっては、請求項２の効果に加えて、マイナスイオン発生装置を握り部に内装すると共に、上記マイナスイオン発生装置で発生したマイナスイオンが放出される放出口を髪ケア部に向けて開口したので、髪ケア部にマイナスイオン発生装置を内装しないで済み、髪ケア部の内部構造を簡略化でき、したがって髪ケア部の形状の多様化、小型化を図ることができるのであり、また、上記マイナスイオン発生装置で発生したマイナスイオンが放出される放出口を髪が保持される髪ケア部に向けて開口したので、握り部にマイナスイオン発生装置を内装しても、髪にマイナスイオンを当てて付着させることができるのである。
【００３３】
また、請求項４記載のヘアーアイロンにあっては、請求項３の効果に加えて、共に棒状に形成した髪ケア部と握り部とを同軸線状に配し、握り部の放出口の開口方向を上記軸線に対して１０°〜３０°傾けて設けたので、髪ケア部が保持した髪全体に効果的にマイナスイオンを付着させることができるのである。
【００３４】
また、請求項５記載のヘアーアイロンにあっては、請求項４の効果に加えて、髪ケア部の外周面に突設したブリスルのうち、放出口近傍に位置するブリスルを除去または丈を短く形成したので、効果的に髪にマイナスイオンを付着させることができるのである。つまり、髪ケア部の外面に突設したブリスルのうち放出口近傍に位置するブリスルにあっては、長くマイナスイオンを浴びるとマイナスの電荷に帯電して、以後上記ブリスル間を通過しようとするマイナスイオンを反発させて跳ね飛ばし、髪に至るマイナスイオンの量を減少させ、髪にマイナスイオンが付着しにくくさせるといった恐れがあるが、この髪ケア部の外面に突設したブリスルのうち放出口近傍に位置するブリスルを除去または丈を短く形成したことにより、上記恐れを無くして効果的に髪にマイナスイオンを付着させることができるのである。
【図面の簡単な説明】
【図１】本発明の実施の形態の例のヘアーアイロンにおける髪ケア部の水平断面図である。
【図２】同上のヘアーアイロンの正面断面図である。
【図３】図２の左方向から見た一部側面断面図である。
【図４】同上の（ａ）は正面図であり、（ｂ）は右側面図であり、（ｃ）は左側面図である。
【図５】同上のマイナスイオン発生装置の例を示す概念図である。
【図６】同上のマイナスイオン発生装置の例を示すものであり、（ａ）は概念図であり、（ｂ）は開口側から見たケースの正面図である。
【図７】本発明の比較例であるブリスルに鍔部を設けない例の髪ケア部の水平断面図である。
【図８】本発明の実施の形態の他例の正面断面図である。
【符号の説明】
１  握り部
２  髪ケア部
３  針電極
４  マイナスイオン発生装置
５  ブリスル
６  スチーム発生装置
７  緩曲面部
８  急曲面部
９  放出口
２１  鍔部
２５  線電極
【図１】
0003979204.tif 000002
【図２】
0003979204.tif 000003
【図３】
0003979204.tif 000004
【図４】
0003979204.tif 000005
【図５】
0003979204.tif 000006
【図６】
0003979204.tif 000007
【図７】
0003979204.tif 000008
【図８】
0003979204.tif 000009